(57)【要約】【課題】エンジンブレーキを効果的に使用できる変速制御装置、変速制御方法、および変速システムを提供すること。【解決手段】変速制御装置１０は、車両Ｖに搭載された自動変速機５を制御する装置であって、車両Ｖの運転者が異常状態に陥ったときに車両Ｖを減速させる緊急停車制御が開始された場合、１段以上のギア段を飛ばすスキップシフトダウンを自動変速機５に実行させる制御部１２０を有する。【選択図】図１
2020045969.tif 000002
【特許請求の範囲】
【請求項１】
車両に搭載された変速機を制御する変速制御装置であって、
前記車両の運転者が異常状態に陥ったときに前記車両を減速させる制御が開始された場合、１段以上のギア段を飛ばすシフトダウンを前記変速機に実行させる制御部を有する、
変速制御装置。
【請求項２】
前記シフトダウンは、
１段以上のギア段を連続して飛ばす処理である、
請求項１に記載の変速制御装置。
【請求項３】
前記制御部は、
前記車両を減速させる制御が開始されたときのギア段が予め設定されたギア段以下である場合、前記シフトダウンを前記変速機に実行させない、
請求項１または２に記載の変速制御装置。
【請求項４】
車両に搭載された変速機を制御する変速制御方法であって、
前記車両の運転者が異常状態に陥ったときに前記車両を減速させる制御が開始された場合、１段以上のギア段を飛ばすシフトダウンを前記変速機に実行させる、
変速制御方法。
【請求項５】
車両に搭載された変速機と、
前記車両の運転者が異常状態に陥ったときに前記車両を減速させる制御が開始された場合、１段以上のギア段を飛ばすシフトダウンを前記変速機に実行させる変速制御装置と、を有する、
変速システム。
【発明の詳細な説明】
【技術分野】
【０００１】
本開示は、車両に搭載される変速制御装置、変速制御方法、および変速システムに関する。
【背景技術】
【０００２】
従来、車両の走行中に、運転者が異常状態（例えば、居眠り状態または心身機能停止状態など）に陥っていることが検知された場合、車両を減速させ、最終的に停車させる制御が知られている（例えば、特許文献１参照）。
【０００３】
また、このような制御の実行中では、車両を徐々に減速させ、１段ずつシフトダウンを行うことが知られている。
【先行技術文献】
【特許文献】
【０００４】
【特許文献１】特開２００９−７３４６２号公報
【発明の概要】
【発明が解決しようとする課題】
【０００５】
一般的に、シフトダウンの際には、内燃機関と変速機との間に設けられたクラッチが切断状態（非接続状態ともいう）に制御される。
【０００６】
よって、上述したように１段ずつシフトダウンが行われる場合、クラッチが切断状態となる時間が多くなる。その結果、内燃機関の出力の低下による制動力（いわゆる、エンジンブレーキ）を効果的に使用できないおそれがある。
【０００７】
本開示の目的は、エンジンブレーキを効果的に使用できる変速制御装置、変速制御方法、および変速システムを提供することである。
【課題を解決するための手段】
【０００８】
本開示の一態様に係る変速制御装置は、車両に搭載された変速機を制御する変速制御装置であって、前記車両の運転者が異常状態に陥ったときに前記車両を減速させる制御が開始された場合、１段以上のギア段を飛ばすシフトダウンを前記変速機に実行させる制御部を有する。
【０００９】
本開示の一態様に係る変速制御方法は、車両に搭載された変速機を制御する変速制御方法であって、前記車両の運転者が異常状態に陥ったときに前記車両を減速させる制御が開始された場合、１段以上のギア段を飛ばすシフトダウンを前記変速機に実行させる。
【００１０】
本開示の一態様に係る変速システムは、車両に搭載された変速機と、前記車両の運転者が異常状態に陥ったときに前記車両を減速させる制御が開始された場合、１段以上のギア段を飛ばすシフトダウンを前記変速機に実行させる変速制御装置と、を有する。
【発明の効果】
【００１１】
本開示によれば、エンジンブレーキを効果的に使用することができる。
【図面の簡単な説明】
【００１２】
【図１】本開示の実施の形態に係る車両、変速システム、および変速制御装置の構成の一例を模式的に示す図
【図２】本開示の実施の形態に係る変速制御装置の動作の流れの一例を示す図
【発明を実施するための形態】
【００１３】
以下、本開示の実施の形態について、図面を参照して詳細に説明する。
【００１４】
まず、本開示の実施の形態に係る車両Ｖ、変速システム１００、および変速制御装置１０の構成について、図１を用いて説明する。図１は、本実施の形態に係る車両Ｖ、変速システム１００、および変速制御装置１０の構成の一例を模式的に示す図である。図１において、破線の矢印は、電気信号の流れを示している。
【００１５】
車両Ｖは、内燃機関１、トルクコンバータ３、クラッチ４、自動変速機５、変速制御装置１０、アクセル開度センサ１５、車速センサ１６、および運転者異常時対応システム２０を備える。変速システム１００は、少なくとも、自動変速機５および変速制御装置１０を含む。
【００１６】
内燃機関１は、例えば、ディーゼルエンジンである。なお、内燃機関１は、ガソリンエンジンであってもよい。
【００１７】
トルクコンバータ３は、ロックアップクラッチ２を有する。
【００１８】
クラッチ４は、例えば、油圧作動式の湿式多板クラッチである。クラッチ４の断接は、変速制御装置１０により制御される。クラッチ４が接続状態である場合、内燃機関１の動力は自動変速機５へ伝達される。一方、クラッチ４が切断状態（非接続状態）である場合、内燃機関１の動力は自動変速機５へ伝達されない。
【００１９】
自動変速機５（変速機の一例）は、変速制御装置１０の制御により、所定のギア段（例えば、１〜６速、リバース、ニュートラル、パーキング等）へのギア入れを行う。なお、このギア入れは、例えば、図示しないギアシフトユニットによって行われてもよい。自動変速機５としては、例えば、ＡＭＴ（Automated Manual Transmission）が挙げられる。
【００２０】
アクセル開度センサ１５は、アクセル開度を検知するセンサである。アクセル開度センサ１５は、検知したアクセル開度を示す信号を変速制御装置１０へ出力する。
【００２１】
車速センサ１６は、車両Ｖの車速を検知するセンサである。車速センサ１６は、検知した車速を示す信号を変速制御装置１０へ出力する。車速センサ１６は、例えば、自動変速機５の出力軸（図示略）の回転数を検知するセンサであってもよい。
【００２２】
運転者異常時対応システム２０は、車両Ｖの走行中に運転者が異常状態に陥った場合、車両Ｖを徐々に減速させ、停車させた後、内燃機関１を停止させる制御（以下、緊急停車制御という）を行う装置である。運転者異常時対応システム２０としては、例えばＥＣＵ（Electronic Control Unit）が挙げられる。
【００２３】
運転者の異常状態とは、運転者が運転を実行できない状態であり、例えば、居眠り状態または心身機能停止状態などが挙げられる。
【００２４】
なお、運転者異常時対応システム２０は、緊急停車制御の実行だけではなく、例えば、車両Ｖの走行中に取得された運転者の生体情報または撮影画像に基づいて、運転者が異常状態であるか否かを判定する処理を行ってもよい。また、運転者異常時対応システム２０は、異常状態に陥りそうな運転者または異常状態に陥った運転者を目撃した他の乗員によって所定の操作（例えば、ボタンの押下等）が行われた場合に、緊急停車制御を実行してもよい。
【００２５】
本実施の形態では、運転者異常時対応システム２０は、緊急停車制御を開始する前（例えば、緊急停車制御の実行を決定した時点）に、緊急停車制御を開始する旨を示す通知情報を変速制御装置１０へ送信する。
【００２６】
変速制御装置１０は、クラッチ４の断接および自動変速機５のギア入れを制御する。変速制御装置１０としては、例えばＴＣＭ（Transmission Control Module）が挙げられる。
【００２７】
図示は省略するが、変速制御装置１０は、ハードウェアとして、例えば、ＣＰＵ（Central Processing Unit）、ＲＯＭ（Read Only Memory）、ＲＡＭ（Random Access Memory）、および通信回路等を有する。以下に説明する変速制御装置１０の各機能は、ＣＰＵがＲＯＭから読み出したコンピュータプログラムを実行することにより実現される。
【００２８】
図１に示すように、変速制御装置１０は、受信部１１０および制御部１２０を有する。
【００２９】
受信部１１０は、運転者異常時対応システム２０から通知情報を受信する。
【００３０】
受信部１１０が通知情報を受信していない場合、制御部１２０は、一般的なギア入れの制御を行う。
【００３１】
すなわち、制御部１２０は、車速センサ１６により検知された車速と、アクセル開度センサ１５により検知されたアクセル開度と、予め定められたマップとに基づいて、ギア段を決定する。そして、制御部１２０は、クラッチ４を切断状態（非接続状態）に制御した上で、決定したギア段に入れるように自動変速機５を制御する。そして、自動変速機５においてギア入れが完了したら、制御部１２０は、クラッチ４を接続状態に制御する。
【００３２】
上述したマップは、例えば、アクセル開度および車速に応じて、どのギア段に入れるべきかが定義されたデータである（例えば、特開２００１−２８０４８１号公報参照）。このマップは、予め実施された実験やシミュレーション等に基づいて作成されたものである。また、このマップは、変速制御装置１０自身が保持していてもよいし、変速制御装置１０が所定の記憶装置（図示略）から取得してもよい。
【００３３】
一方で、受信部１１０が通知情報を受信した場合、制御部１２０は、緊急停車制御によって徐々に減速する車両Ｖの車速に応じて、１段以上のギア段を飛ばすシフトダウン（以下、スキップシフトダウンという）を自動変速機５に実行させる。以下、スキップシフトダウンを自動変速機５に実行させる制御を「スキップシフトダウン制御」という。
【００３４】
ここで、スキップシフトダウンの各例について以下に説明する。
【００３５】
１段飛ばしのスキップシフトダウンの例について説明する。例えば、緊急停車制御の開始時のギア段が６速である場合、制御部１２０は、６速、４速、２速の順のシフトダウンを自動変速機５に実行させる。
【００３６】
２段飛ばしのスキップシフトダウンの例について説明する。例えば、緊急停車制御の開始時のギア段が７速である場合、制御部１２０は、７速、４速、１速の順のシフトダウンを自動変速機５に実行させる。
【００３７】
２段飛ばしと１段飛ばしを組み合わせたスキップシフトダウンの例について説明する。例えば、緊急停車制御の開始時のギア段が６速である場合、制御部１２０は、６速、３速、１速の順のシフトダウンを自動変速機５に実行させる。
【００３８】
以上、スキップシフトダウンの各例について説明した。
【００３９】
なお、飛ばすギア段の数は、緊急停車制御の開始時のギア段に応じて、予めユーザが設定してもよい。
【００４０】
スキップシフトダウン制御では、制御部１２０は、アクセル開度をゼロとみなし、車速センサ１６により検知された車速と、予め定められたマップとに基づいて、ギア段を決定する。そして、制御部１２０は、クラッチ４を切断状態（非接続状態）に制御した上で、決定したギア段に入れるように自動変速機５を制御する。その後、自動変速機５においてギア入れが完了したら、制御部１２０は、クラッチ４を接続状態に制御する。
【００４１】
ここで、スキップシフトダウン制御について、６速から１段飛ばしのスキップシフトダウンを自動変速機５に実行させる場合を例に挙げて説明する。
【００４２】
車両Ｖが６速で走行中、受信部１１０が通知情報を受信した場合、制御部１２０は、スキップシフトダウン制御の実行を決定する。その後、制御部１２０は、マップに定められている５速へのシフトダウンを行うべき車速が検知されたとしても、自動変速機５にシフトダウンの指示を行わず、自動変速機５に６速を維持させる。
【００４３】
次に、マップに定められている４速へのシフトダウンを行うべき車速が検知されたら、制御部１２０は、クラッチ４を切断状態に制御し、６速から４速へのシフトダウンを自動変速機５に実行させる。そして、４速へのシフトダウンが完了したら、制御部１２０は、クラッチ４を接続状態に制御する。
【００４４】
次に、制御部１２０は、マップに定められている３速へのシフトダウンを行うべき車速が検知されたとしても、自動変速機５にシフトダウンの指示を行わず、自動変速機５に４速を維持させる。
【００４５】
次に、マップに定められている２速へのシフトダウンを行うべき車速が検知されたときに、制御部１２０は、４速から２速へのシフトダウンを自動変速機５に実行させる。そして、２速へのシフトダウンが完了したら、制御部１２０は、クラッチ４を接続状態に制御する。
【００４６】
以上、スキップシフトダウン制御の一例について説明した。
【００４７】
なお、６速から１段飛ばしのスキップシフトダウンを自動変速機５に実行させる場合、以下のようにスキップシフトダウン制御が行われてもよい。
【００４８】
車両Ｖが６速で走行中、受信部１１０が通知情報を受信した場合、制御部１２０は、スキップシフトダウン制御の実行を決定する。その後、制御部１２０は、マップに定められている５速へのシフトダウンを行うべき車速が検知されたときに、クラッチ４を切断状態に制御し、６速から４速へのシフトダウンを自動変速機５に実行させる。そして、４速へのシフトダウンが完了したら、制御部１２０は、クラッチ４を接続状態に制御する。
【００４９】
次に、制御部１２０は、マップに定められている３速へのシフトダウンを行うべき車速が検知されたときに、４速から２速へのシフトダウンを自動変速機５に実行させる。そして、２速へのシフトダウンが完了したら、制御部１２０は、クラッチ４を接続状態に制御する。
【００５０】
以上、スキップシフトダウン制御の別の例について説明した。この例では、より早いタイミングで低速段へシフトダウンされるので、より効果的にエンジブレーキを使用することができる。
【００５１】
次に、変速制御装置１０のスキップシフトダウン制御の動作（変速制御方法の一例）の流れについて、図２を用いて説明する。図２は、変速制御装置１０のスキップシフトダウン制御の動作の流れの一例を示す図である。図２に示す動作は、例えば、車両Ｖの走行が開始された時点で開始される。
【００５２】
まず、制御部１２０は、受信部１１０が運転者異常時対応システム２０から通知情報を受信したか否かを判定する（ステップＳ１）。
【００５３】
受信部１１０が通知情報を受信していない場合（ステップＳ１：ＮＯ）、フローはステップＳ１へ戻る。この場合、制御部１２０は、車両Ｖの加減速に応じて、上述した一般的なギア入れの制御を行う。
【００５４】
一方、受信部１１０が通知情報を受信した場合（ステップＳ１：ＹＥＳ）、制御部１２０は、スキップシフトダウンを実行するように自動変速機５を制御する（ステップＳ２）。
【００５５】
ここまで詳述したように、本実施の形態の変速制御装置１０は、緊急停車制御を開始する旨を示す通知情報を受信する受信部１１０と、受信部１１０が通知情報を受信した場合、少なくとも１つのギア段を飛ばすシフトダウンを自動変速機５に実行させる制御部１２０と、を有することを特徴とする。
【００５６】
これにより、本実施の形態の変速制御装置１０は、１段ずつシフトダウンを行う場合に比べて、クラッチ４が切断状態となる時間を短縮させることができる。すなわち、変速制御装置１０は、緊急停車制御が実行された場合に、クラッチ４が接続状態である時間を増やすことができるので、エンジンブレーキの効果的な使用を実現できる。また、内燃機関１がディーゼルエンジンである場合（車両Ｖがディーゼル車である場合）、エキゾーストブレーキの効果的な使用を実現できる。
【００５７】
なお、本開示は、上述の実施の形態に限定されるものではなく、本開示の趣旨を逸脱しない範囲で、適宜変形して実施することが可能である。
【００５８】
例えば、受信部１１０が通知情報を受信したときのギア段が予め設定されたギア段（例えば、２速）以下である場合、制御部１２０は、スキップシフトダウン制御を実行しないようにしてもよい。
【００５９】
また、実施の形態では、変速制御装置１０が受信部１１０を備える場合を例に挙げて説明したが、変速制御装置１０は受信部１１０を備えなくてもよい。その場合、例えば、制御部１２０は、車両Ｖの乗員によって所定の操作（例えば、ボタンの押下等）が行われた場合に、スキップシフトダウンを実行するように自動変速機５を制御してもよい。ここでいう乗員は、例えば、異常状態に陥りそうな運転者であってもよいし、異常状態に陥った運転者を目撃した他の乗員（例えば、バスの乗客等）であってもよい。
【産業上の利用可能性】
【００６０】
本開示の変速制御装置、変速制御方法、および変速システムは、車両に搭載される変速機の制御に有用である。
【符号の説明】
【００６１】
１  内燃機関
２  ロックアップクラッチ
３  トルクコンバータ
４  クラッチ
５  自動変速機
１０  変速制御装置
１５  アクセル開度センサ
１６  車速センサ
２０  運転者異常時対応システム
１００  変速システム
１１０  受信部
１２０  制御部
Ｖ  車両
【図１】
2020045969.tif 000003
【図２】
2020045969.tif 000004